(57)【要約】      （修正有）【課題】構造がシンプルで、組み立ても簡単にでき、外殻を確実に保形できる保形ユニットを備えた理容・美容用マネキンヘッドを提供する。【解決手段】支持台３に押し込み筒５、押上板押上用筒９及び案内棒１１が立設され、保形ユニット２の下部には、押し込み筒５が押し込まれる固定筒６と、押上板案内筒１０と、押上板案内筒との間で押上板８を上下動自在に保持する押上板保持筒１２が形成され、保形ユニットの上部の中心に支柱１４が立設され、支柱を取り囲んで複数の保形部材１５が配置され、保形部材は二つ折り可能な上側保形部材１６と下側保形部材１７が接続され、上側保形部材１６は、支柱１４に沿って上下動する移動部材１９と連結され、移動部材１９は押上板８に連結部材２１で連結され、押上板８の上昇により移動部材１９が押し上げられて連結棒２０が上側保形部材１６を押して保形部材１５を外側に拡げて外殻１を保形する。【選択図】図２
0003156171.tif 000002
【実用新案登録請求の範囲】
【請求項１】
人間の頭の形を模した軟質で弾力性を有する合成樹脂の外殻と、外殻内に配置されて拡開により外殻を保形する保形ユニットと、保形ユニット及び外殻を着脱自在に支持する支持台とからなる理容・美容用マネキンヘッドにおいて、
前記支持台には、基板の上に押し込み筒、押上板押上用筒及び案内棒が中心に向かって同心円状に順に立設され、押し込み筒の外周に外殻を固定するための固定用リングが配置されており、
前記保形ユニットの下部には、前記支持台の前記押し込み筒が押し込まれる固定筒と、前記支持台の前記案内棒が挿入されて案内される押上板案内筒と、押上板案内筒との間で押上板を上下動自在に保持する押上板保持筒が中心に向かって同心円状に形成され、
前記保形ユニットの上部には、前記固定筒の上部の固定板の中心に支柱が立設され、支柱を取り囲んで拡開により外殻に接する複数の保形部材が間隔をおいて配置され、前記保形部材は中央で二つ折り可能で且つ外側に湾曲した形状の上側保形部材と下側保形部材が接続され、上側保形部材の上端は支柱の上端に上下方向に回動可能に接続され、下側保形部材の下端には前記固定板に形成された保持用孔に上下動自在に保持される保持棒が設けられ、
前記上側保形部材は、前記支柱に沿って上下動する移動部材と連結棒で連結され、移動部材は前記押上板に連結部材で連結され、押上板の上昇により移動部材が押し上げられて連結棒が上側保形部材を押して前記保形部材を外側に拡げて外殻を保形することを特徴とする理容・美容用マネキンヘッド。
【請求項２】
前記移動部材が下方に付勢されていることを特徴とする請求項１記載の理容・美容用マネキンヘッド。
【請求項３】
前記保形部材の間に、拡開により外殻に接する補助保形部材が配置され、補助保形部材が中央で二つ折り可能で且つ外側に湾曲した形状の上側補助保形部材と下側補助保形部材が接続され、上側補助保形部材の上端は支柱の上端に上下方向に回動可能に接続され、下側補助保形部材の下端には固定板に形成された保持用孔に上下動自在に保持される保持棒が設けられていることを特徴とする請求項１又は２に記載の理容・美容用マネキンヘッド。
【考案の詳細な説明】
【技術分野】
【０００１】
本考案は、理容師、美容師あるいはこれらの資格修得を目指す人が技術の向上を図るため、実技のレッスンにおいて使用する理容・美容用マネキンヘッドに関する。
【背景技術】
【０００２】
理容師、美容師あるいはこれらの資格修得を目指す人は、技術を向上させるためあるいは技術習得のために実技のレッスンを行う際には、頭部から首までのマネキンヘッドを使って、カットレッスン、ワインディングレッスン、ブローレッスン、セットレッスン、カラーレッスン、髭そりレッスン、美顔レッスン、メイクレッスンなどの各種のレッスンを行っている(特許文献１、２参照)。
【０００３】
しかしながら、従来のマネキンヘッドでは、マネキンヘッドを形成する際に保形のために、内部に大量の硬質ウレタンが充填されている。その結果、（１）変形させることができないため、そのままの状態で保管しなくてはならないので、多くのマネキンヘッドを保管しなければならない場合、広い保管スペースを必要とする、（２）表面が硬く弾力性に欠けるため、人肌に近い感触が得られない、（３）マネキンヘッドの使用済み後は、リサイクルもされず大量のゴミとなる、などの問題があった。
【０００４】
そこで、本出願人は、マネキンヘッドの保管に広いスペースを必要とせず、また、人肌に近い感触が得られ、廃棄する際には大量のごみとならず、一部は再使用可能である理容・美容用マネキンヘッドを提案した(特許文献３)。
【０００５】
前記特許文献３のマネキンヘッドは、図４に示すように、軟質で弾力性を有する合成樹脂の外殻３１と、外殻３１を着脱自在に支持する支持台３２と、外殻内に配置され外殻３１を保形する保形材３３と、とからなる理容・美容用マネキンヘッドにおいて、支持台３２が、基板３２ａの中央の挿通孔に挿通させて基板３２ａを支持する基板支持部材３６と、基板上に固定され、外殻３１の下端の内周面に嵌合させた固定用リング３４を固定する固定筒３５と、基板３１の上に配置され、固定用リング３４との間に外殻３１の下端を挟んだ状態で押圧する弾性を有する押圧リング３７を備え、保形材３３として風船が配置されている。風船には空気導入弁３８と空気放出弁３９が設けられ、いずれの弁も逆止弁で形成され、空気導入弁３８は空気導入時に開いて導入後は閉じ、空気放出弁３９は空気放出時のみに開く。空気導入弁３８から保形材である風船３３に空気を供給して膨らますことにより、外殻３１を保形する。使用後は、と空気放出弁３９から空気を抜いてコンパクトにして保管する。
【先行技術文献】
【特許文献】
【０００６】
【特許文献１】実用新案登録第１３８２０３３号公報
【特許文献２】特開平９−３０９１１９号公報
【特許文献３】特許第４２２７４９０号公報
【考案の概要】
【考案が解決しようとする課題】
【０００７】
前記特許文献３に記載されたマネキンヘッドでは、保形材として風船を使用するため、空気導入弁、空気放出弁、空気供給管を必要とするので構造が複雑となって組み立てに手間がかかり、また別途、空気を供給するための空気供給装置も必要となる。
【０００８】
また、風船が膨張しても外殻の顔部分などに接しない部分が多くあるため、実習中に強く押さえるとへこんだりする場合があった。
【０００９】
そこで、本考案は、構造がシンプルで、組み立ても簡単にでき、外殻を確実に保形できる保形ユニットを備えた理容・美容用マネキンヘッドを提供するものである。
【課題を解決するための手段】
【００１０】
本考案の理容・美容用マネキンヘッドは、人間の頭の形を模した軟質で弾力性を有する合成樹脂の外殻と、外殻内に配置されて拡開により外殻を保形する保形ユニットと、保形ユニット及び外殻を着脱自在に支持する支持台とからなる理容・美容用マネキンヘッドにおいて、前記支持台には、基板の上に押し込み筒、押上板押上用筒及び案内棒が中心に向かって同心円状に順に立設され、押し込み筒の外周に外殻を固定するための固定用リングが配置されており、前記保形ユニットの下部には、前記支持台の前記押し込み筒が押し込まれる固定筒と、前記支持台の前記案内棒が挿入されて案内される押上板案内筒と、押上板案内筒との間で押上板を上下動自在に保持する押上板保持筒が中心に向かって同心円状に形成され、前記保形ユニットの上部には、前記固定筒の上部の固定板の中心に支柱が立設され、支柱を取り囲んで拡開により外殻に接する複数の保形部材が間隔をおいて配置され、前記保形部材は中央で二つ折り可能で且つ外側に湾曲した形状の上側保形部材と下側保形部材が接続され、上側保形部材の上端は支柱の上端に上下方向に回動可能に接続され、下側保形部材の下端には前記固定板に形成された保持用孔に上下動自在に保持される保持棒が設けられ、前記上側保形部材は、前記支柱に沿って上下動する移動部材と連結棒で連結され、移動部材は前記押上板に連結部材で連結され、押上板の上昇により移動部材が押し上げられて連結棒が上側保形部材を押して前記保形部材を外側に拡げて外殻を保形することを特徴とする。
【００１１】
前記構成において、前記移動部材は下方に付勢され、また、前記保形部材の間に、拡開により外殻に接する補助保形部材が配置され、補助保形部材が中央で二つ折り可能で且つ外側に湾曲した形状の上側補助保形部材と下側補助保形部材が接続され、上側補助保形部材の上端は支柱の上端に上下方向に回動可能に接続され、下側補助保形部材の下端には固定板に形成された保持用孔に上下動自在に保持される保持棒が設けられている。
【考案の効果】
【００１２】
本考案のマネキンヘッドの保形ユニットは構造がシンプルで、外殻を装着した保形ユニットを支持台に押し込むだけで保形ユニットが拡張して外殻が保形されるので、組み立てが簡単である。
【００１３】
また、本考案のマネキンヘッドは、保形部材が外殻の内面に接して外殻を確実に保形することができるので、実習中にへこんだりすることがない。
【図面の簡単な説明】
【００１４】
【図１】本考案のマネキンヘッドの一実施例を示す分解斜視図である。
【図２】図１のマネキンヘッドの分解断面図である。
【図３】本考案のマネキンヘッドを組み立てた状態を示す断面図である。
【図４】従来のマネキンヘッドの断面図である。
【考案を実施するための形態】
【００１５】
本発明の実施例について図面を参照しながら説明する。
【実施例】
【００１６】
図１〜３において、マネキンヘッドは、人間の頭の形を模した外殻１と、外殻１を保形するために外殻１の内部に収納されて容積が拡張する保形ユニット２と、保形ユニット２を支持する支持台３とから構成される。
【００１７】
外殻１は、従来のマネキンヘッドと同様に、軟質塩化ビニール樹脂、軟質ウレタン樹脂などの軟質で弾力性を有する合成樹脂で形成する。外殻１には、毛穴を作り、その毛穴に人毛あるいは人工毛などの毛を植え込み、裏側で接着剤を使用して抜けないように接着する。
【００１８】
支持台３は、基板４の上に押し込み筒５が一体に形成されている。押し込み筒５が保形ユニット２の下部の固定筒６内に上から押し込まれて保形ユニット２が支持台３に固定される。
【００１９】
支持台３には、押し込み筒５と間隔を開けて固定用リング７が開閉自在に装着される。外殻１を装着した保形ユニット２の固定筒６内に押し込み筒５を押し込んで保形ユニット２が支持台３に固定され、外殻１の下部は、固定筒６と固定用リング７の間に挟まれ、固定用リング７を閉めることにより押圧されて固定される。
【００２０】
支持台３の押し込み筒５内には、保形ユニット２の固定筒６内を上下動するドーナツ状の押上板８を押し上げる押上板押上用筒９が同心円状に立設されている。さらに、押上板押上用筒９内に、保形ユニット２の固定筒６に同心円状に設けられている押上板案内筒１０を案内する案内棒１１が立設されている。押上板案内筒１０が押上板押上用筒９と案内棒１１との間に挿入されて案内される。
【００２１】
保形ユニット２の下部の内側には、固定筒６と押上板案内筒１０との間には、押上板案内筒１０との間でドーナツ状の押上板８を上下動自在に保持する押上板保持筒１２が同心円状に形成されている。
【００２２】
固定筒６の上部には、固定板１３が固定されている。固定板１３の中心には、支柱１４が立設され、支柱１４を取り囲んで複数の保形部材１５が配置される。
【００２３】
保形部材１５は中央で二つ折り可能に上側保形部材１６と下側保形部材１７が接続されている。上側保形部材１６と下側保形部材１７の縦断面形状は、各保形部材１６，１７が拡張した状態で外殻１の内面に接するよう、外殻１の内面の縦断面形状に近い形状となっている。上側保形部材１６の上端は支柱１４の上端に上下方向に回動可能に接続されている。下側保形部材１７の下端には保持棒１８が設けられ、保持棒１８は固定板１３に形成された保持孔に上下動自在に保持されている。保持棒１８は押上板８の上昇により押し上げられる。
【００２４】
上側保形部材１６は、支柱１４に沿って上下動する移動部材１９と連結棒２０で連結されている。移動部材１９は押上板８に連結部材２１で連結され、押上板８の上昇により移動部材１９が押し上げられて連結棒２０が上側保形部材１６を押して保形部材１５を外側に拡げる。移動部材１９は押上板８が下がったときに下降して保形部材１５を内側に縮めるようにバネで付勢されている。
【００２５】
保形部材１５の間には補助保形部材２２を配置することができる。補助保形部材２２は、外側に湾曲した形状の上側補助保形板２３と下側補助保形板２４が二つ折り可能に接続されている。上側補助保形板２３の上端は支柱１４の上端に回動可能に接続されている。下側補助保形板２４の下端には保持棒１８が設けられ、保持棒１８は固定板１３に形成された保持孔に上下動自在に保持されている。下側補助保形板２４の下端の保持棒１８は、保形ユニット２の固定筒６内を上下動する押上板８により押し上げられて補助保形部材２２を外側に拡げる。保形部材１５を拡張した際に外殻１に接しない部分を補助保形部材２２により、保形する。
【００２６】
本考案によるマネキンのセッティングについて説明する。
【００２７】
外殻１を閉じた状態の保形ユニット２に被せ、外殻１の下部を保形ユニット２の固定筒６に保持する。
【００２８】
保形ユニット２の固定筒６に支持台３の押し込み筒５を押しこみ、外殻１を固定筒６と開閉自在の固定用リング７の間に挟んで固定する。
【００２９】
保形ユニット２の固定筒６に支持台３の押し込み筒５を押し込む際に、押し込み筒５内に設けられた押上板押上用筒９が保形ユニット２の固定筒６内を上下動する押上板８を押し上げる。押上板８が押し上げられると、押上板８に連結部材２１で連結された移動部材１９が上昇し、連結棒２０が上側保形部材１６を押して保形部材１５を外側に拡張する。同時に、補助保形部材２２も拡張する。
【００３０】
こうして、保形部材１５と補助保形部材２２が拡げられて外殻１の内面に接して、外殻１が確実に保形される。
【符号の説明】
【００３１】
１：外殻                    ２：保形ユニット
３：支持台            ４：基板
５：押し込み筒        ６：固定筒
７：固定用リング      ８：押上板
９：押上板押上用筒  １０：押上板案内筒
１１：案内棒          １２：押上板保持筒
１３：固定板          １４：支柱
１５：保形部材        １６：上側保形部材
１７：下側保形部材    １８：保持棒
１９：移動部材        ２０：連結棒
２１：連結部材        ２２：補助保形部材
２３：上側補助保形板  ２４：下側補助保形板
３１：外殻            ３２：支持台
３３：保形材          ３４：固定用リング
３５：固定筒          ３６：基板支持部材
３７：押圧リング      ３８：空気導入弁
３９：空気放出弁
【図１】
0003156171.tif 000003
【図２】
0003156171.tif 000004
【図３】
0003156171.tif 000005
【図４】
0003156171.tif 000006